(57)【要約】      （修正有）【課題】携帯電話機のようなカメラおよび文字や図形を表示する表示部を備える電子装置の操作を使用者の眼球の動きだけで行う電子装置用プログラムおよび電子装置を提供する。【解決手段】使用者の眼球２０を撮像するカメラ２２と、カメラ２２により撮像された眼球の動きを検出する検出部２４と、文字や図形等を表示する表示部２６と、使用者の操作により予め設定された操作を行う操作部２８を備え、操作部２８は、表示する順序が予め決められた文字を順次、表示部２６に表示し、操作部２８は検出部２４が使用者の眼球２０の瞬きを検出したときに表示部２６に表示されている文字について予め設定した操作を行う。【選択図】図１
2014063427.tif 000002
【特許請求の範囲】
【請求項１】
使用者の眼球を撮像するカメラと、
前記カメラにより撮像された眼球の動きを検出する検出部と、
文字や図形等を表示する表示部と、
使用者の操作により予め設定された操作を行う操作部と、
を備える電子装置を制御する電子装置用プログラムにおいて、
前記操作部は、表示する順序が予め決められた文字を順次、前記表示部に表示するステップと、
前記操作部は、前記検出部が使用者の眼球の瞬きを検出したときに前記表示部に表示されている文字について予め設定した操作を行うステップと、
を備えることを特徴とする電子装置用プログラム。
【請求項２】
前記文字は、少なくとも第一文字列および第二文字列の二種類の文字列から構成され、
前記表示部に前記第一文字列の文字が表示されているときに前記検出部が使用者の眼球の瞬きを検出した場合、前記操作部は引き続き前記第二文字列以降の文字を前記表示部に表示するステップと、
を備えることを特徴とする請求項１に記載の電子装置用プログラム。
【請求項３】
前記検出部は使用者の眼球の向きを検出し、前記操作部は前記検出部が検出した眼球の向きに応じて前記表示部に表示される文字をスクロールするステップと、
を備えることを特徴とする請求項１または請求項２に記載の電子装置用プログラム。
【請求項４】
前記表示部に表示される前記文字列の種類が変わった場合、前記操作部は前記表示部の背景色を変更することステップと、
を備えることを特徴とする請求項２または請求項３に記載の電子装置用プログラム。
【請求項５】
使用者の眼球を撮像するカメラと、
前記カメラにより撮像された眼球の動きを検出する検出部と、
文字や図形等を表示する表示部と、
前記表示部に表示する順序が予め決められた文字を順次表示し、前記検出部が使用者の眼球の瞬きを検出したときに前記表示部に表示されている文字について予め設定した操作を行う操作部と、
を備えることを特徴とする電子装置。
【発明の詳細な説明】
【技術分野】
【０００１】
本発明は、携帯電話機のようなカメラおよび文字や図形を表示する表示部を備える電子装置の操作に関するものである。
【背景技術】
【０００２】
現在普及している携帯電話機のような電子装置のほとんどは表示部、すなわちディスプレイを有しており、電子装置の使用者はディスプレイに表示された情報を見ながら別途備えられた操作ボタンを操作するか、あるいはディスプレイに表示された操作ボタンを操作することで使用者の望む操作を行っている。
【０００３】
しかしながら障害等により指先の動きが不自由な使用者にとって操作ボタンを操作することは困難な場合がある。
【０００４】
そのため操作ボタンの操作が困難な使用者のために携帯電話機のようにカメラを備えた電子装置について、カメラにより使用者の眼球の動きを検出し電子装置の操作を行う方法や電子装置が提供されており、例えば特許文献１のような携帯端末装置が提案されている。
【先行技術文献】
【特許文献】
【０００５】
【特許文献１】特開２００７−３１０８１５号公報
【発明の概要】
【発明が解決しようとする課題】
【０００６】
しかし特許文献１の携帯端末装置の場合、眼球の動きの回数に応じて携帯端末装置の操作や入力を行うため、操作や入力に要する使用者の負担が大きい上に、例えば一つの文字の入力に複数回の眼球を動かす必要があるので文章の入力に相当の時間が必要になるという問題も有している。
【０００７】
本発明はこのような課題に鑑み、従来のような操作や入力のための使用者の労力を削減し、かつ従来の発明と比べて迅速に電子装置の操作や入力が可能な電子装置用プログラムおよび電子装置を提供することを目的とする。
【課題を解決するための手段】
【０００８】
（１）本発明にかかる電子装置用プログラムは、使用者の眼球を撮像するカメラと、前記カメラにより撮像された眼球の動きを検出する検出部と、文字や図形等を表示する表示部と、使用者の操作により予め設定された操作を行う操作部と、を備える電子装置を制御する電子装置用プログラムにおいて、前記操作部は、表示する順序が予め決められた文字を順次、前記表示部に表示するステップと、前記操作部は、前記検出部が使用者の眼球の瞬きを検出したときに前記表示部に表示されている文字について予め設定した操作を行うステップと、を備えることを特徴とする。
【０００９】
（２）また本発明にかかる電子装置用プログラムは、（１）に記載の電子装置用プログラムにおいて、前記文字は、少なくとも第一文字列および第二文字列の二種類の文字列から構成され、前記表示部に前記第一文字列の文字が表示されているときに前記検出部が使用者の眼球の瞬きを検出した場合、前記操作部は引き続き前記第二文字列以降の文字を前記表示部に表示するステップと、を備えることを特徴とする。
【００１０】
（３）また本発明にかかる電子装置用プログラムは、（１）または（２）のいずれかに記載の電子装置用プログラムにおいて、前記検出部は使用者の眼球の向きを検出し、前記操作部は前記検出部が検出した眼球の向きに応じて前記表示部に表示される文字をスクロールするステップと、を備えることを特徴とする。
【００１１】
（４）また本発明にかかる電子装置用プログラムは、（２）または（３）のいずれかに記載の電子装置用プログラムにおいて、前記表示部に表示される前記文字列の種類が変わった場合、前記操作部は前記表示部の背景色を変更することステップと、を備えることを特徴とする。
【００１２】
（５）また本発明にかかる電子装置は、使用者の眼球を撮像するカメラと、前記カメラにより撮像された眼球の動きを検出する検出部と、文字や図形等を表示する表示部と、前記表示部に表示する順序が予め決められた文字を順次表示し、前記検出部が使用者の眼球の瞬きを検出したときに前記表示部に表示されている文字について予め設定した操作を行う操作部と、を備えることを特徴とする。
【発明の効果】
【００１３】
（１）に記載の電子装置用プログラムによれば、使用者は順次、表示部に表示される文字について瞬きするだけで予め決められた操作、例えば文字の入力や文字の削除等を行うことができる。
【００１４】
（２）に記載の電子装置用プログラムによれば、使用者は表示させる文字列を変更することにより速やかに表示させたい文字を表示部に表示させることが可能となる。
【００１５】
（３）に記載の電子装置用プログラムによれば、使用者は表示させたい文字を眼球の向きに合わせたスクロールによって速やかに表示させることが可能となる。
【００１６】
（４）に記載の電子装置用プログラムによれば、使用者は表示されている文字列が変更されたことを簡単に認識することが可能となる。
【００１７】
（５）に記載の電子装置によれば、使用者は眼球の瞬きだけで表示されている文字について入力等の操作を行うことが可能となる。
【図面の簡単な説明】
【００１８】
【図１】第１実施形態にかかる電子装置用プログラムを適用可能な電子装置の概略構成を示す図である。
【図２】第１実施形態にかかる電子装置用プログラムの制御フローを示すフローチャートである。
【図３】第２実施形態にかかる第一文字列および第二文字列のイメージを示す図である。
【図４】第２実施形態にかかる電子装置用プログラムの制御フローを示すフローチャートである。
【図５】第３実施形態にかかる電子装置用プログラムの制御フローを示すフローチャートである。
【図６】第３実施形態にかかる使用者の眼球の向きの模式図である。
【発明を実施するための形態】
【００１９】
以下に添付図面を参照しながら本発明の好適な実施形態について説明する。かかる実施形態は発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
（第１実施形態）
【００２１】
図１は第１実施形態にかかる電子装置用プログラムを適用可能な電子装置１０を示す概略構成図であり、図２は第１実施形態にかかる電子装置用プログラムの制御フローを示すフローチャートである。
【００２２】
電子装置１０は、使用者の眼球２０を撮像するカメラ２２と、カメラ２２により撮像された眼球の動きを検出する検出部２４と、文字や図形等を表示する表示部２６と、使用者の操作により予め設定された操作を行う操作部２８を備えている。
【００２３】
この電子装置１０に適用する電子装置用プログラムは、操作部２８により表示する順序が予め決められた文字を順次、表示部２６に表示するステップと、同じく操作部２８により検出部２４が使用者の眼球２０の瞬きを検出したときに表示部２６に表示されている文字について予め設定した操作を行うステップと、を備えている。
【００２４】
具体的には、電子装置用プログラムが開始（Ｓ１００）されると、操作部２８は表示部２６に最初に表示する文字を表示する（Ｓ１０１）。
【００２５】
この最初に表示する文字は任意で決められるが、その後に順次表示される文字を使用者が推測しやすいように例えば五十音の「あ」やアルファベットの「Ａ」などが好ましい。また表示される文字は一文字である必要はなく、例えば「変換」、「確定」、「一文字削除」などのコマンドを表した文字列でも良い。
【００２６】
次に所定時間内に検出部２４にて使用者の瞬きを検出した場合（Ｓ１０２のＹＥＳ）、操作部２８はその時に表示部２６に表示されている文字について予め決められた操作を行う（Ｓ１０３）。
【００２７】
この時の操作の例としては、「あ」や「Ａ」などの文字の場合にはその文字の「入力」であり、「変換」等のコマンドが表示されている場合にはそのコマンドの実行であり、この操作の後、このプログラムは終了（Ｓ１０５）する。
【００２８】
なお、ここでいう終了（Ｓ１０５）とは、このプログラムの処理が一回分終了したという意味であり、実際の文字入力の場合にあっては複数の文字を連続して入力するため、引き続き電子装置用プログラムを開始（Ｓ１００）する。
【００２９】
また所定時間内に検出部２４にて使用者の瞬きを検出しなかった場合（Ｓ１０２のＮＯ）、操作部２８は表示部２６に、次に表示すべき文字を表示する。
【００３０】
例えば既に表示されている文字が「あ」や「Ａ」の場合には操作部２８は表示部２６に表示されている文字に代えて「い」や「Ｂ」を表示する。
【００３１】
本実施形態の効果として、電子装置１０の表示部２６には次々に文字が表示されるので使用者はその文字が表示されている間に瞬きするという簡単な操作で文字の入力や、変換、確定などの処理を実行することが可能となる。
【００３２】
（第２実施形態）
【００３３】
図３は第２実施形態にかかる第一文字列３０および第二文字列３２のイメージを示す図であり、図４は第２実施形態にかかる電子装置用プログラムの制御フローを示すフローチャートである。
【００３４】
第２実施形態にかかる電子装置用プログラムを適用する電子装置の概略構成は第１実施形態で説明した図１の中で示された電子装置１０と同様である。
【００３５】
第２実施形態にかかる電子装置用プログラムでは、表示部２６に表示される文字は、少なくとも第一文字列３０および第二文字列３２の二種類の文字列から構成されており、表示部２６に第一文字列３０の文字が表示されているときに検出部２４が使用者の眼球２０の瞬きを検出した場合、操作部２８は使用者の眼球２０の瞬きに応じて表示部２６に表示されている第一文字列について、予め決められた操作（表示された文字の入力等）を実行するか、あるいは引き続き第二文字列３２の文字を表示部２６に表示する。
【００３６】
具体的には、図３で示した５０音のひらがなのうち、横の列の最上段である「あかさたなはまやらわ」をこの順序で第一文字列３０とし、縦の列であり第一文字列を除いた「いうえお」から「ん゛゜。」までをそれぞれ第二文字列３２とする。
【００３７】
第二実施形態にかかる電子装置用プログラムが開始されると（Ｓ２００）、操作部２８は表示部２６に第一文字列３０のうち最初に表示する文字である「あ」を表示する（Ｓ２０１）。
【００３８】
「あ」が表示部２６に所定時間表示されている間に検出部２４が使用者の瞬きを検出した場合（Ｓ２０２のＹＥＳ）、検出部２４は引き続いて使用者の瞬きが所定時間内に二回以上行われたかどうかを検出し、もし使用者の瞬きが所定時間内に二回以上行われていれば（Ｓ２０４のＹＥＳ）、操作部２８は表示部２６に表示されている文字である「あ」について予め決められた操作を実行し（Ｓ２０５）、終了する（Ｓ２０９）。
【００３９】
一方、表示部２６に第一文字列が表示されている間に検出部２４が使用者の瞬きを検出しなかった場合（Ｓ２０２のＮＯ）、操作部２８は第一文字列のうち次に表示する文字である「か」を表示部２６に表示する（Ｓ２０３）。
【００４０】
また第一文字列で最初に表示する文字である「あ」が表示されている間に使用者の瞬きを検出した場合であっても（Ｓ２０２のＹＥＳ）、検出した瞬きが所定時間内に二回以上検出されない場合（Ｓ２０４のＮＯ）、操作部２８は表示部２６に第二文字列３２のうち次に表示する文字である「い」を表示する（Ｓ２０６）。
【００４１】
検出部２４にて所定時間内に使用者の瞬きを検出すれば（Ｓ２０７のＹＥＳ）、操作部２８は表示部２６に表示されている文字である「い」について予め決められた操作を実行し（Ｓ２０５）終了する（Ｓ２０９）。
【００４２】
一方、所定時間内に使用者の瞬きを検出しない場合（Ｓ２０７のＮＯ）、操作部２８は第二文字列３２のうち次に表示する文字である「う」を表示部２６に表示する（Ｓ２０８）。
【００４３】
本実施形態の効果として、使用者はまず第一文字列３０で選択し、引き続き第二文字列３２から選択することで迅速に目的とする文字を表示部２６に表示することが可能となる。
【００４４】
なお本実施形態では第一文字列および第二文字列としているが、必要に応じて第三文字列以降を設定しても良い。また本実施形態では表示部２６に表示された第一文字列について第二文字列を表示させることなく予め決められた操作を実行するために使用者が所定時間内に瞬きを二回以上行うこととしているが、例えば所定時間、瞼を閉じるなどでもよい。
【００４５】
本実施形態の効果として、使用者は第一文字列および第二文字列を利用することにより、目的とする文字を速やかに表示部２６に表示させることが可能となる。
【００４６】
（第３実施形態）
【００４７】
第３実施形態にかかる電子装置用プログラムを適用する電子装置の概略構成は第１実施形態で説明した図１の中で示された電子装置１０と同様である。
【００４８】
図５は第３実施形態にかかる電子装置用プログラムの制御フローを示すフローチャートであり、図６は使用者の眼球の向きの図である。
【００４９】
図２のフローチャートと異なる点は、Ｓ１０１とＳ１０２の間にＳ３００とＳ３０１が追加されている点である。以下に図２と異なる点のみ説明する。
【００５０】
操作部２８にて表示部２６に最初に表示する文字を表示したのち（Ｓ１０１）、所定時間内に使用者の瞬きを感知するまでの間に（Ｓ１０２）、使用者の眼球の向きを検出部２４にて検出した場合（Ｓ３００のＹＥＳ）、操作部２８は使用者の眼球の向きに従って文字をスクロールする（Ｓ３０１）。
【００５１】
スクロールする際には図６の３４にあるように例えば使用者の眼球が正面を向いているときにはスクロールは行わないが、３４ａのように眼球の向きが上の場合、文字のスクロールも上に向かって行う。また３４ｂのように眼球の向きが下の場合には文字のスクロールも下に向かって行い、３４ｃのように眼球の向きが左の場合には左にスクロールし、３４ｄのように眼球の向きが右の場合、文字を右にスクロールする。
【００５２】
このように文字の表示の際に使用者の眼球の向きに従ったスクロールを取り入れると、使用者は迅速に表示させたい文字を表示部２６に表示させることが可能となる。
【００５３】
（第４実施形態）
【００５４】
第４実施形態にかかる電子装置用プログラムを適用する電子装置の概略構成は第１実施形態で説明した図１の中で示された電子装置１０と同様である。
【００５５】
第２実施形態または第３実施形態にかかる電子装置用プログラムでは少なくとも第一文字列３０および第二文字列３２の二つの文字列を持つこととしている。
【００５６】
第４実施形態では表示部２６に表示される文字列の種類が変わった場合、操作部２８は表示部２６の背景色を変更する。
【００５７】
たとえば第一文字列３０が「あかさたなはまやらわ」であり、この第一文字列３０が表示されているときの背景色が黄色とすると、第二文字列３２を「いうえお」とし、この第二文字列３２が表示されているときの背景色を緑色とする。また表示される文字列が、「変換」、「確定」、「一文字削除」などのコマンドである場合にも背景色を変更しても良い。
【００５８】
これにより使用者は簡単に表示されている文字列の種類が変わったことを認識でき、迅速かつ正確な操作を行うことが可能となる。
【００５９】
（第５実施形態）
【００６０】
第１実施形態から第４実施形態までは本件発明を電子装置用プログラムとして説明したが、本件発明は電子装置としても好適である。
【００６１】
第５実施形態にかかる電子装置用プログラムを適用する電子装置の概略構成は第１実施形態で説明した図１の中で示された電子装置１０と同様である。
【００６２】
すなわち、第５実施形態にかかる電子装置は、使用者の眼球２０を撮像するカメラ２２と、カメラ２２により撮像された眼球の動きを検出する検出部２４と、文字や図形等を表示する表示部２６と、表示部２６に表示する順序が予め決められた文字を順次表示し、検出部２４が使用者の眼球２０の瞬きを検出したときに表示部２６に表示されている文字について予め設定した操作を行う操作部２８とを備えている。なおここでいう文字とは第１実施形態と同じく、一文字である必要はなく、例えば「変換」、「確定」、「一文字削除」などのコマンドを表した文字列でも良い。
【００６３】
本実施形態にかかる電子装置は、表示部２６に文字が表示されている間に使用者が瞬きするという操作のみで文字の入力や、変換、確定、一文字削除などの予め設定した操作を行うことが可能となる。
【００６４】
以上、添付図面を参照しながら本発明の好適な実施形態について説明した。
【００６５】
当業者であれば、特許請求の範囲に記載された範囲内において、各種の変更例または修正例に想到し得ることは明らかであり、それらについても当然に本発明の技術的範囲に属するものと了解される。
【産業上の利用可能性】
【００６６】
本発明は、携帯電話機のようなカメラおよび文字や図形を表示する表示部を備える電子装置の操作に関するものとして利用することができる。
【符号の説明】
【００６７】
１０： 電子装置、２０：使用者の眼球、２２：カメラ、２４：検出部、２６表示部、２８：操作部、３０：第一文字列、３２：第二文字列、３４：使用者の眼球の向き、３４ａ〜３４ｄ：使用者の眼球の向き
【図１】
2014063427.tif 000003
【図２】
2014063427.tif 000004
【図３】
2014063427.tif 000005
【図４】
2014063427.tif 000006
【図５】
2014063427.tif 000007
【図６】
2014063427.tif 000008